(57)【要約】      （修正有）【課題】ストーマ用袋に収容された便を簡単に廃棄でき、残留便滓も簡易な方法でできるだけ完全に除去でき、かつ従来用いられていたクリップのように人体腹部に過度の刺激を生じることのない下端開口部の結束手段を有するストーマ用袋を開発する。【解決手段】ストーマ用袋１であって、袋状の本体２の内側に馬脂層Ｂを形成し、本体の下端開口部２ｄの上方に弾性体からなる結束用のバンド６を有することを特徴とするストーマ用袋と従来のストーマ用袋の本体の内側に馬脂層を形成するための馬脂塗布兼清拭用具を提供する。【選択図】図１
0003106670.tif 000002
【実用新案登録請求の範囲】
【請求項１】
ストーマ用袋であって、袋状の本体の内側に馬脂層を形成し、上記本体の下端開口部の上方に弾性体からなる結束用のバンドを有し、前記下端開口部の端部を上方に折り返して折返部を設け、該折返部の頂部より下端開口部をさらに上方へ折り上げて折上部を設け、この折上部を蛇腹状に曲折して上記バンドにて結束して、ストーマ用袋の下端開口部を開閉自由に構成したことを特徴とするストーマ用袋。
【請求項２】
ストーマ用袋のための、線材の両端部あるいは片側の端部にスポンジや海綿等の吸湿性の素材からなる吸湿体を固着したことを特徴とする馬脂塗布兼清拭用具。
【考案の詳細な説明】
【技術分野】
【０００１】
本考案は、ストーマ用袋及び馬脂塗布兼清拭用具に関するものであって、さらに詳しくは、以下の構成を有するストーマ用袋及び馬脂塗布兼清拭用具に関するものである。
＜構成１＞
ストーマ用袋であって、袋状の本体の内側に馬脂層を形成し、上記本体の下端開口部の上方に弾性体からなる結束用のバンドを有し、前記下端開口部の端部を上方に折り返して折返部を設け、該折返部の頂部より下端開口部をさらに上方へ折り上げて折上部を設け、この折上部を蛇腹状に曲折して上記バンドにて結束して、ストーマ用袋の下端開口部を開閉自由に構成したことを特徴とするストーマ用袋。
＜構成２＞
ストーマ用袋のための、線材の両端部あるいは片側の端部にスポンジや海綿等の吸湿性の素材からなる吸湿体を固着したことを特徴とする馬脂塗布兼清拭用具。
【背景技術】
【０００２】
ストーマとは人工肛門の意であり、直腸癌等にて肛門が使用不能となった人が、施術により腹部に装着するもので、該ストーマ周辺の腹部に専用のストーマ用袋を貼着して便を採取する。この、従来のストーマ用袋１０を図４ａに示す。従来のストーマ用袋１０の本体２０は、下端が下端開口部２１となった透明軟質合成樹脂製の膜体を袋状に形成したもので、全体の形状は略杓子型であり、背面に不織布３０が貼着されている。本体２０と不織布３０は外周２２において溶着されて一体として形成されている。
【０００３】
本体２０の背面上部には面板４０が接着されている。この面板４０は、通常は使用者が自らのストーマのサイズに合わせて切断し、本体２０に接着して使用するものであるが、図４ａには面板４０が接着された状態を示している。また、Ｈ´は、面板４０の中央に穿設された円孔で、不織布３０及び本体２０の背面にも同位置に同寸の円孔Ｈ´が穿設されている。すなわち、本体２０の内部空間は円孔Ｈ´及び下端開口部２１により外部に通じている。なお、５０は脱臭用フィルターである。
【０００４】
上記ストーマ用袋１０は、使用の際には、背面の不織布３０の側を人体側とし、円孔Ｈ´をストーマに当接させ、面板４０をストーマ周辺の腹部に接着させて用いる。この際に、下端開口部２１はなんらかの手段にて閉塞されている必要がある。開口部２１の閉塞手段として現在最も多用されているのが図４ｂ、図４ｃに示すクリップＣである。
【０００５】
クリップＣの正面図を図４ｂに、平面図を図４ｃに示す。クリップＣは合成樹脂製で、全体の平面形状は人体の腹部の湾曲に適合するように弧状となっており、凹部Ｃ２を有する本体Ｃ１と凹部Ｃ２に嵌合される嵌合体Ｃ３が蝶番部Ｃ４により一体として連結されているもので、蝶番部Ｃ４も合成樹脂製であり、合成樹脂の弾力性を蝶番機能として用いているものである。
【０００６】
ストーマ用袋１０の本体２０の下端開口部２１は図４ｄに示す方法により閉塞される。すなわち、下端開口部２１を上方に折り上げ、折り線部分をクリップＣの嵌合体Ｃ３の下端に挟み込んで、そのまま嵌合体Ｃ３を本体Ｃ１の凹部Ｃ２に嵌合させる。これにより、下端開口部２１は閉塞されるので、本体２０内に収容された便が下端開口部２１から漏洩する惧れがなくなるものである。
【０００７】
ストーマ用袋１０内に充分に便が収容されたら、収容された便を便器等に廃棄する。この際、便の廃棄は下端開口部２１より行う。すなわち、クリップＣの嵌合体Ｃ３を本体Ｃ１の凹部Ｃ２から脱嵌し、下端開口部２１の折り上げ部分を再展開して下端開口部２１より便を廃棄する。以上が、通常のストーマ袋１０の構成及び作用である。
【０００８】
しかしながら、上記従来のストーマ用袋１０の構成及び使用方法には、使用者の側から多くの問題点が指摘されてきた。その問題点の一つは、残留便滓の問題である。すなわち、ストーマ用袋１０は、本体２０内部に収容された便が満杯になった時点で、一旦下端開口部２１を開いて収容された弁を便器等に廃棄しなければならないが、この際、本体２０の内側には固化した残留便滓が付着するので、その残留便滓まで含めてきれいに廃棄することが中々困難である。
【０００９】
また、ストーマ用袋１０を廃棄する際には、通常は「不燃ごみ」として処理されるものであるが、その際に、臭気等の問題から、ストーマ用袋１０の本体２０の内部に残留する便滓をできるだけ除去しておく必要がある。しかしながら、残留便滓が本体２０の内面に強固に固着するので、この残留便滓の除去作業が使用者にとってはかなりの負担となっているのが現状である。
【００１０】
ストーマ装着者においては、上記残留便滓を清拭あるいは除去するために温水を用いている人が多い。すなわち、ストーマ用袋１０の本体２０の内側に固着している残留便滓を温水によって軟化させて除去するという方法である。しかるに、外出先や旅行先のトイレで、個室内にて温水を得られるところはごく限られており、この方法を用いることができない。したがって、ストーマ装着者はいきおい外出を嫌うようになり、自宅に閉じこもりがちとなって生活を楽しむ機会を奪われ勝ちであるというのが現状である。
【００１１】
次に、もう一つの問題は、下端開口部２１を閉塞するためのクリップＣが人体腹部に与える影響である。すなわち、クリップＣは、図４ｃに見るように可能な限り薄く作られているものの、やはり腹部の皮膚にとっては異物として刺激を与える。しかも、ストーマ用袋１０を装着している間はずっと腹部の皮膚の同一箇所に刺激が与えられ続けるため、皮膚の当該部分が過敏となり、炎症を起こす例も少なくない。この問題も、ストーマ装着者においては解決を要する重要問題の一つであった。
【００１２】
上記問題点のうち、残留便滓の除去に関しては、下記特許文献１に「ストーマ装具用潤滑剤組成物」として、鉱油、植物油、動物油、及び合成油を使用することが開示されている。しかしながら、残留便滓の除去に関して言えば、下記特許文献１の実施例に開示されている具体的な組成物は、どれも実際にはあまり使用されていないか、使用されていても使用者に満足を与えているものは殆ど見られないといって良い現状である。
【００１３】
その理由としては、下記特許文献１に「ストーマ装具用潤滑剤組成物」として具体的に開示されている潤滑剤組成物のいずれもが、ストーマ用袋１０の本体２０の内側に固着している残留便滓を充分に軟化させる作用を有していないという点が挙げられる。すなわち、ストーマ用袋１０の本体２０の内側に上記潤滑剤組成物からなる層が形成してあっても、強力に固着して固化した状態の残留便滓は冷水では容易に除去ができず、結局温水を用いて軟化させて除去するしか方法がなく、使用者の側からすると、下記特許文献１に具体的に開示されている「ストーマ装具用潤滑剤組成物」は、実際に前記問題点を解決するにはあまり役に立たないものであると結論せざるをえないからである。
【００１４】
すなわち、下記特許文献１に具体的に開示されている「ストーマ装具用潤滑剤組成物」は便を充分に軟化させる作用を有しないものばかりであるので、結局温水が必要となる。では、なぜ下記特許文献１に具体的に開示されている「ストーマ装具用潤滑剤組成物」が便を充分に軟化させる作用を有しないものであるかといえば、上記潤滑剤組成物は、便に含有されている人体の有する油脂と親和性が低いものばかりであるからという点が最大の理由であろう。
【００１５】
すなわち、人体の有する油脂は不飽和脂肪酸の含有量が極めて高いことを特徴とするが、上記特許文献１に具体的に開示されている潤滑剤組成物の有する不飽和脂肪酸の含有量は、人体の有する油脂のそれに比較するとかなり低いものである。この点で、上記潤滑剤組成物は、便に対して親和性が低く、便を充分に軟化させる作用を有しないのである。
【００１６】
また、上記潤滑剤組成物の中で、植物油やとくに動物油は鉱油や合成油に比較すると、やや人体の有する油脂に近いものであるが、下記特許文献１に具体的に開示されている植物油や動物油は、いずれも分子流動性が低く、便に対する滲透力が弱いものである。すなわち、分子流動性が低いので、便の内部に形成される空気層にその侵入を阻まれて内部まで滲透することがない。この点も、便を軟化させる力が弱い大きな原因となっている。逆に、鉱油や合成油には分子流動性の高いものが多いが、鉱油や合成油は人体の有する油脂との親和性が極めて低いので、やはり便を軟化させることができない。
【００１７】
叙上のような事情にて、下記特許文献１に具体的に開示されている上記潤滑剤組成物は、実際のストーマ装着者においては、現実に用いられていないものが多い。また、もう一つの問題点である、腹部の皮膚に無用の刺激を与えない下端開口部の結束方法に関しては、決定的な解決手段が見出されていないのが現状であった。
【特許文献１】特開２００４−８１２９９
【非特許文献１】直江昶、「馬油の成分と特殊性質」、［online］、２００３年秋号、直江昶、［２００４年７月６日検索］、インターネット＜ＵＲＬ：http://www.bahyu.com/top-bahyu/seibun.html＞
【非特許文献２】直江昶、「馬油の効能とその理由」、［online］、２００３年秋号、直江昶、［２００４年７月６日検索］、インターネット＜ＵＲＬ：1089688215468_0.html＞
【考案の開示】
【考案が解決しようとする課題】
【００１８】
本考案は上記の問題点を解決せんとするものであり、本考案の解決しようとする課題として、次の２つの課題を設定した。
＜課題１＞
ストーマ用袋に収容された便を廃棄する際に、ストーマ用袋の本体に収容された便を充分に軟化させて廃棄しやすくし、また残留便滓も温水を用いずとも簡単な清拭にてできるだけ完全に除去できるようなストーマ用袋を開発する。
＜課題２＞
ストーマ用袋の下端開口部の結束において、従来用いられていたクリップのように人体腹部に過度の刺激を生じることのない下端開口部の結束手段を有するストーマ用袋を開発する。
【課題を解決するための手段】
【００１９】
本考案は、上記課題を解決するために、下記の解決手段を提供するものである。
＜解決手段１＞
ストーマ用袋であって、袋状の本体の内側に馬脂層を形成し、上記本体の下端開口部の上方に弾性体からなる結束用のバンドを有し、前記下端開口部の端部を上方に折り返して折返部を設け、該折返部の頂部より下端開口部をさらに上方へ折り上げて折上部を設け、この折上部を蛇腹状に曲折して上記バンドにて結束して、ストーマ用袋の下端開口部を開閉自由に構成したことを特徴とするストーマ用袋。
＜解決手段２＞
ストーマ用袋のための、線材の両端部あるいは片側の端部にスポンジや海綿等の吸湿性の素材からなる吸湿体を固着したことを特徴とする馬脂塗布兼清拭用具。
【００２０】
上記解決手段１によれば、本考案のストーマ用袋は、袋状の本体の内側に馬脂層が形成されているので、該馬脂層が、便中に含まれる人体から分泌される油分と極めて高い親和性を示し、しかも馬脂は分子流動性が極めて高く収容された便の内部深くに滲透して内側からこれを充分に軟化するので、収容された便が上記ストーマ用袋の本体内面に固化して固着することがなく、収容された便の廃棄が簡単に行える。また、僅かの残留便滓も馬脂により充分に軟化されているので温水を用いずとも簡単に除去することが可能で、上記ストーマ用袋の本体の清拭が極めて楽に行え、使用者に与える負担感を大きく軽減することができるものである。
【００２１】
前記非特許文献１には、植物性油脂よりは動物性油脂の方が人体の含有する油脂に成分的に近く、数多い動物性油脂の中でも、馬の油脂、即ち馬脂が成分的に最も人体の有する油脂に近いものであることが記載されている。該非特許文献１によると、馬脂は分不飽和脂肪酸の含有率が高く（６０〜６５％）、この点で人体の含有する油脂に成分的に最も近いものであるとされる。また、馬脂の不飽和脂肪酸は分子流動性が極めて高く、これにより滲透性が極めて高いものであることが前記非特許文献２に記載されている。
【００２２】
上記ストーマ用袋の本体の内側に馬脂層を形成することにより、馬脂が収容された便の深部にまで滲透してこれを充分に軟化する。この際、馬脂が上記の様に人体の含有する油脂に近く、さらに馬脂は分子流動性の極めて高い不飽和脂肪酸からなるため、収容された便に対しても極めて高い親和性と滲透性を示し、収容された便が固化してストーマ用袋の本体に固着するのを防止するので、便の廃棄並びに残留便滓の清拭が極めて楽に行えるものである。
【００２３】
また、上記解決手段１によれば、上記ストーマ用袋の本体の下端開口部の上方に弾性体からなる結束用のバンドを有しているので、上記下端開口部を結束するにはこの結束用のバンドを用いるだけで良く、使用者の腹部に過度の刺激を与えるクリップを用いる必要がないので、使用感がきわめて良好で、腹部の皮膚の損傷や炎症も生じないものである。
【００２４】
次に、上記解決手段２によれば、ストーマ用袋のための、線材の両端部あるいは片側の端部にスポンジや海綿等の吸湿性の素材からなる吸湿体を固着したことを特徴とする馬脂塗布兼清拭用具を用いることにより、従来のストーマ用袋においても、その本体の内側に馬脂層を形成することができ、該馬脂層が収容された便に滲透し軟化させ、便の廃棄並びに残留便滓の清拭が極めて楽に行えるものである。なお、解決手段２の馬脂塗布兼清拭用具は、ストーマ用袋の清拭にも用いることができる。
【考案の効果】
【００２５】
上記解決手段１によれば、本考案のストーマ用袋は、袋状の本体の内側に馬脂層が形成されているので、該馬脂層が、便中に含まれる人体から分泌される油分と極めて高い親和性を示し、しかも馬脂は分子流動性が極めて高く収容された便の内部深くに滲透して内側からこれを充分に軟化するので、収容された便が上記ストーマ用袋の本体内面に固化して固着することがなく、収容された便の廃棄が簡単に行える。また、僅かの残留便滓も馬脂により充分に軟化されているので温水を用いずとも簡単に除去することが可能で、上記ストーマ用袋の本体の清拭が極めて楽に行え、使用者に与える負担感を大きく軽減することができるものである。
【００２６】
また、上記解決手段１によれば、上記ストーマ用袋の本体の下端開口部の上方に弾性体からなる結束用のバンドを有しているので、上記下端開口部を結束するにはこの結束用のバンドを用いるだけで良く、使用者の腹部に過度の刺激を与えるクリップを用いる必要がないので、使用感がきわめて良好で、腹部の皮膚の損傷や炎症も生じないものである。
【００２７】
次に、上記解決手段２によれば、ストーマ用袋のための、線材の両端部あるいは片側の端部にスポンジや海綿等の吸湿性の素材からなる吸湿体を固着したことを特徴とする馬脂塗布兼清拭用具を用いることにより、従来のストーマ用袋においても、その本体の内側に馬脂層を形成することができ、該馬脂層が収容された便に滲透し軟化させ、便の廃棄並びに残留便滓の清拭が極めて楽に行えるものである。なお、解決手段２の馬脂塗布兼清拭用具は、ストーマ用袋の清拭にも用いることができる。
【考案を実施するための最良の形態】
【００２８】
本考案を実施するための最良の形態を、以下に実施例として図面を参照しながら説明する。なお、以下に掲げる実施例１は上記解決手段１の１実施例であり、実施例２及び実施例３は上記解決手段２の１実施例である。
【実施例１】
【００２９】
＜実施例１の構成＞
図１ａは実施例１のストーマ用袋１の正面図、図１ｂは実施例１のストーマ用袋１の縦断面図、図１ｃは実施例１のストーマ用袋１の一部の拡大縦断面図である。実施例１のストーマ用袋１の本体２は、下端が下端開口部２ｄとなった透明軟質合成樹脂製の膜体を袋状に形成したもので、全体の正面形状は略杓子型であり、背面の下端部分を除く部分に不織布３（公知技術）が貼着されている。本体２の正面側膜体２ａ、背面側膜体２ｂ、不織布３は、外周において溶着されて一体となり、フランジ２ｃを形成している。
【００３０】
本体２の背面側膜体２ｂの上部背面には面板４（公知技術）が接着されている。この面板４は、両面接着タイプの軟質樹脂製板で、通常は使用者が自らのストーマ（図示せず）のサイズに合わせて切断し、背面側膜体２ｂに接着して使用するものであるが、図１ａには面板４が既に接着された状態を示している。また、４ａは、面板４の中央に穿設された円孔で、これも通常は使用者が自らのストーマ（図示せず）のサイズに合わせて穿設するものであるが、図１ａ、図１ｂには既に穿設された状態を示している。
【００３１】
不織布３にも円孔４ａと同位置に円孔４ａと同寸の円孔３ａが穿設され、本体２の背面側膜体２ｂにも円孔４ａと同位置に円孔４ａと同寸の円孔２ｅが穿設されており、円孔２ｅ、円孔３ａ、円孔４ａは重なって円孔Ｈを形成している。すなわち、本体２の内部空間は円孔Ｈ及び下端開口部２ｄにより外部に通じている。なお、５は脱臭用フィルター（公知技術）である。
【００３２】
本体２の下部のくびれ部分には、両側のフランジ２ｃに、ゴム製のバンド６の端部６ａ、６ｂが夫々固着されている。バンド６の端部６ａ、６ｂは、背面側膜体２ｂと不織布３の間に挟着され、背面側膜体２ｂ及び不織布３と一体に強固に溶着されることにより固着されている。端部６ｂの固着状態を、図１ｂに示す。なお、端部６ａ、６ｂの固着方法は、溶着に限らず、接着や縫着等を適宜用いることが可能である。
【００３３】
本体２の正面側膜体２ａ、及び背面側膜体２ｂの夫々内側には、図１ｂ、図１ｃに示すように、馬脂層Ｂが形成されている。該馬脂層Ｂの形成方法は、塗布、噴射等、本体２の正面側膜体２ａ、及び背面側膜体２ｂの夫々内側に馬脂層Ｂが形成できる形成方法であれば方法の如何を問わない。
【００３４】
＜実施例１の作用＞
実施例１のストーマ用袋１の使用方法は、従来のストーマ用袋１０（図４ａ参照）と略同様であるが、下端開口部２ｄの結束方法が異なっている。すなわち、図２ａに見るように、まず下端開口部２ｄを上方に折り返して（方向ａ）折返部２ｆを形成する。この際、下端開口部２ｄの最下端部２ｇがバンド６のやや下方にくるように折り返すものである。
【００３５】
次に、形成された折返部２ｆ全体を、折返部２ｆの頂部２ｈ（＝最下端部２ｇ）を折線として図２ｂに示すようにさらに上方に折り上げ（方向ｂ）、折上部２ｉを形成する。この際、折上部２ｉの略中央付近にバンド６の端部６ａ、６ｂが位置するようにする。そして、折上部２ｉを、図２ｃに示すように蛇腹状に曲折して（方向ｃ）バンド６にて結束すれば、下端開口部２ｄの結束は完成する。その後は、従来のストーマ用袋１０（図４ａ参照）と同要領にて腹部に装着すれば良い。
【００３６】
実施例１のストーマ用袋１の本体２内部が便で充満したら、バンド６を解除して下端開口部２ｄの結束を解き、下端開口部２ｄを図２ａに示す状態に戻す。この状態にて本体２内部に収容された便（図示せず）を便器等に廃棄するのであるが、この際、馬脂層Ｂの作用により便は充分に軟化されているので、収容された便は簡単に廃棄することが可能である。本体２の正面側膜体２ａ及び背面側膜体２ｂ（図１ｂ参照）の内側には若干の便滓（図示せず）が残留するが、やはり馬脂層Ｂの作用により充分に軟化されているので本体２の正面側膜体２ａ及び背面側膜体２ｂ（図１ｂ参照）の内側に固着していない。したがって、この少量の残留便滓も、簡単な清拭によって除去することができる。この際、温水を用いる必要は全く生じない。
【実施例２】
【００３７】
＜実施例２の構成＞
図３ａに、実施例２の馬脂塗布兼清拭用具７を示す。馬脂塗布兼清拭用具７は、金属線材を合成樹脂の膜体で被覆した線材７ａの一端にスポンジ製の吸湿体７ｂを、他端にスポンジ製の吸湿体７ｃを夫々固着したもので、吸湿体７ｂは円板状であり、吸湿体７ｃは吸湿体７ｂよりやや小の卵形板状である。なお、吸湿体７ｂ、吸湿体７ｃは、海綿等他の吸湿性の素材で構成しても良い。
【００３８】
＜実施例２の作用＞
実施例２の馬脂塗布兼清拭用具７は、従来のストーマ用袋１０（図４ａ参照）の本体２０の内側に馬脂（図示せず）を塗布するために用いる。すなわち、吸湿体７ｂあるいは吸湿体７ｃに馬脂を浸潤させて本体２０の内部に挿入し、吸湿体７ｂあるいは吸湿体７ｃを刷毛のように用いて本体２０の内面に馬脂を塗布するものである。吸湿体７ｂは大きな面塗り用として、吸湿体７ｃは隅部塗布用として用いることができる。
【００３９】
また、馬脂塗布兼清拭用具７は、ストーマ用袋１０の使用後に、本体２０の内側の清拭用として用いることも可能である。この場合には吸湿体７ｂ、あるいは吸湿体７ｃに水分を浸潤させて用いる。なお、馬脂塗布兼清拭用具７は、線材７ａの両端に吸湿体７ｂ、吸湿体７ｃが固着されているが、どちらか一方を欠いていても無論かまわない。
【００４０】
＜実施例３の構成と作用＞
図３ｂに、実施例３の馬脂塗布兼清拭用具８を示す。馬脂塗布兼清拭用具８は、金属線材を合成樹脂の膜体で被覆した線材８ａの一端にスポンジ製の吸湿体８ｂを、他端にスポンジ製の吸湿体８ｃを夫々固着したもので、吸湿体８ｂは角板状であり、吸湿体８ｃは吸湿体８ｂよりやや小の角板状で先端が鋭角状に形成してある。実施例３の馬脂塗布兼清拭用具８の作用は実施例２の馬脂塗布兼清拭用具７と略同様である。
【図面の簡単な説明】
【００４１】
【図１】（ａ）本考案の実施例１のストーマ用袋の正面図である。（ｂ）図１ａのＸ−Ｘ断面図である。（ｃ）図１ｂの拡大部分断面図である。
【図２】（ａ）本考案の実施例１のストーマ用袋の下端開口部の結束構成を説明する説明図である。（ｂ）本考案の実施例１のストーマ用袋の下端開口部の結束構成を説明する説明図である。（ｃ）本考案の実施例１のストーマ用袋の下端開口部の結束構成を説明する説明図である。
【図３】（ａ）本考案の実施例２の馬脂塗布兼清拭用具の外観斜視図である。（ｂ）本考案の実施例３の馬脂塗布兼清拭用具の外観斜視図である。
【図４】（ａ）従来のストーマ用袋の１例の正面図である。    （ｂ）従来のストーマ用袋の下端開口部を結束するためのクリップの１例の正面図である。    （ｃ）従来のストーマ用袋の下端開口部を結束するためのクリップの１例の平面図である。    （ｄ）従来のストーマ用袋の下端開口部を結束する方法の１例を説明する説明図である。
【符号の説明】
【００４２】
１      ストーマ用袋
２      本体
２ａ    正面側膜体
２ｂ    背面側膜体
２ｃ    フランジ
２ｄ    下端開口部
２ｅ    円孔
２ｆ    折返部
２ｇ    最下端部
２ｈ    頂部
２ｉ    折上部
３      不織布
３ａ    円孔
４      面板
４ａ    円孔
５      脱臭用フィルター
６      バンド
６ａ    端部
６ｂ    端部
７      馬脂塗布兼清拭用具
７ａ    線材
７ｂ    吸湿体
７ｃ    吸湿体
８      馬脂塗布兼清拭用具
８ａ    線材
８ｂ    吸湿体
８ｃ    吸湿体
１０    ストーマ用袋
２０    本体
２１    下端開口部
２２    外周
３０    不織布
４０    面板
５０    脱臭用フィルター
Ｂ      馬脂層
Ｃ      クリップ
Ｃ１    本体
Ｃ２    凹部
Ｃ３    嵌合体
Ｃ４    蝶番部
Ｈ      円孔
Ｈ´    円孔
ａ      方向
ｂ      方向
ｃ      方向
【図１】
0003106670.tif 000003
【図２】
0003106670.tif 000004
【図３】
0003106670.tif 000005
【図４】
0003106670.tif 000006
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
ストーマ用袋であって、袋状の本体の内側に馬脂層を形成し、上記本体の下端開口部の上方に弾性体からなる結束用のバンドを有し、前記下端開口部の端部を上方に折り返して折返部を設け、該折返部の頂部より下端開口部をさらに上方へ折り上げて折上部を設け、この折上部を蛇腹状に曲折して上記バンドにて結束して、ストーマ用袋の下端開口部を開閉自由に構成したことを特徴とするストーマ用袋。
【請求項２】
請求項１に記載のストーマ用袋を形成するために用いる馬脂塗布兼清拭用具であって、線材の両端部あるいは片側の端部に、スポンジや海綿等の吸湿性の素材からなる馬脂層を形成するための吸湿体を固着したことを特徴とする馬脂塗布兼清拭用具。